【手続補正書】
【提出日】平成24年7月18日(2012.7.18)
【手続補正１】
【補正対象書類名】特許請求の範囲
【補正対象項目名】全文
【補正方法】変更
【補正の内容】
【特許請求の範囲】
【請求項１】
電力変換器において用いるためのコントローラであって、
入力電流を積分することにより電力変換器の電力スイッチのオン時間の終わりを決定して、電力スイッチのオン時間の終わりを表わすオン時間信号を出力するよう結合された第１の算出器と、
入力電圧と出力電圧との差を積分することにより電力スイッチのオフ時間の終わりを決定して、電力スイッチのオフ時間の終わりを表わすオフ時間信号を出力するよう結合された第２の算出器とを含む、コントローラ。
【請求項２】
入力電流は、電力変換器への入力電流を表わす入力電流信号であり、入力電圧は、電力変換器の入力電圧を表わす入力電圧信号である、請求項１に記載のコントローラ。
【請求項３】
出力電圧は、電力変換器の出力での出力電圧のＡＣ時間差異に実質的に応答しない出力電圧信号である、請求項１に記載のコントローラ。
【請求項４】
オン時間信号に応答して電力スイッチをオン状態からオフ状態に切換え、オフ時間信号に応答して電力スイッチをオフ状態からオン状態に切換えるよう結合されたドライバ回路をさらに含む、請求項１に記載のコントローラ。
【請求項５】
ドライバ回路は電力スイッチの切換を切換信号で制御するよう結合されており、コントローラはさらに、切換信号を受取り、切換信号に応答して入力電圧信号を出力するよう結合された入力電圧算出器を含み、入力電圧信号は電力変換器の入力電圧を表わしている、請求項４に記載のコントローラ。
【請求項６】
入力電圧算出器は、切換信号のデューティファクタに応答して入力電圧信号を出力するよう結合された平均化キャパシタを含む、請求項５に記載のコントローラ。
【請求項７】
ドライバ回路は、電力変換器の出力での出力電圧を規制する、請求項４に記載のコントローラ。
【請求項８】
オン時間信号は、第１の算出器によって受取られる誤差信号に応答して決定される、請求項１に記載のコントローラ。
【請求項９】
第１の算出器に誤差信号を出力するフィードバック回路をさらに含み、誤差信号は電力変換器の出力での出力電圧を表わしている、請求項８に記載のコントローラ。
【請求項１０】
フィードバック回路は、一定の基準電圧に応答して誤差信号を生成し、一定の基準電圧は電力変換器の出力電圧を表わしている、請求項９に記載のコントローラ。
【請求項１１】
電力スイッチは、金属酸化膜半導体電界効果トランジスタ（ＭＯＳＦＥＴ）を含む、請求項１に記載のコントローラ。
【請求項１２】
ライン電流高調波を低減するよう電力変換器において用いるためのコントローラであって、
電力変換器の入力電流を積分して、電力変換器の電力スイッチのオン時間を終了させる第１の信号を出力するよう結合された第１の積分器と、
実質的に一定の値と電力変換器の入力電圧との差を積分して、電力スイッチのオフ時間を終了させる第２の信号を出力するよう結合された第２の積分器と、
第１および第２の信号を受取り、入力電流を入力電圧に実質的に比例するよう制御する
ように電力スイッチの切換周波数を変える第３の信号を出力するよう結合されたドライバ回路とを含む、コントローラ。
【請求項１３】
入力電流は、入力電圧に実質的に直線的に比例するよう制御される、請求項１２に記載のコントローラ。
【請求項１４】
電力変換器は昇圧変換器である、請求項１２に記載のコントローラ。
【請求項１５】
電力スイッチは、金属酸化膜半導体電界効果トランジスタ（ＭＯＳＦＥＴ）を含む、請求項１２に記載のコントローラ。
【請求項１６】
コントローラは単一のモノリシック素子上に含まれている、請求項１２に記載のコントローラ。
【請求項１７】
電力スイッチおよびコントローラは、同一の単一のモノリシック素子上に含まれている、請求項１２に記載のコントローラ。
【請求項１８】
電力変換器において用いるためのコントローラであって、
入力電流を積分することにより電力変換器の電力スイッチのオン時間の終わりを決定して、電力スイッチのオン時間の終わりを表わすオン時間信号を出力するよう結合された第１の算出器と、
実質的に一定の値と入力電圧との差を積分することにより電力スイッチのオフ時間の終わりを決定して、電力スイッチのオフ時間の終わりを表わすオフ時間信号を出力するよう結合された第２の算出器とを含む、コントローラ。
【請求項１９】
入力電流は、電力変換器への入力電流を表わす入力電流信号であり、入力電圧は、電力変換器の入力電圧を表わす入力電圧信号である、請求項１８に記載のコントローラ。
【請求項２０】
オン時間信号に応答して電力スイッチをオン状態からオフ状態に切換え、オフ時間信号に応答して電力スイッチをオフ状態からオン状態に切換えるよう結合されたドライバ回路をさらに含む、請求項１８に記載のコントローラ。
【請求項２１】
ライン電流高調波を低減するよう電力変換器において用いるためのコントローラであって、
電力変換器の入力電流を積分して、電力変換器の電力スイッチのオン時間を終了させる第１の信号を出力するよう結合された第１の積分器と、
電力変換器の入力電圧と出力電圧との差を積分して、電力スイッチのオフ時間を終了させる第２の信号を出力するよう結合された第２の積分器と、
第１および第２の信号を受取り、入力電流を入力電圧に実質的に比例するよう制御するように電力スイッチの切換周波数を変える第３の信号を出力するよう結合されたドライバ回路とを含む、コントローラ。
【請求項２２】
電力変換器の入力電圧と出力電圧との差を表わす電流を出力する、第２の積分器におけるオフ時間電流源をさらに含む、請求項２１に記載のコントローラ。
【請求項２３】
ドライバ回路は、電力変換器の出力での出力電圧を規制する、請求項２１に記載のコントローラ。
【請求項２４】
電力スイッチは、金属酸化膜半導体電界効果トランジスタ（ＭＯＳＦＥＴ）を含む、請求項２１に記載のコントローラ。
【請求項２５】
電力変換器の電力スイッチがオン状態からオフ状態に遷移する時間を決定するために、電力変換器の入力電流を積分するステップと、
電力スイッチがオフ状態からオン状態に遷移する時間を決定するために、ある一定値と電力変換器の入力電圧との差を積分するステップと、
電力変換器の出力電圧を規制するために、電力スイッチがオン状態からオフ状態に遷移する時間および電力スイッチがオフ状態からオン状態に遷移する時間に従って、電力スイッチを切換えるステップとを含む、方法。
【請求項２６】
電力変換器の出力電圧を規制するために電力スイッチを切換えるステップは、入力電圧に実質的に直線的に比例するよう入力電流を制御するステップを含む、請求項２５に記載の方法。
【請求項２７】
オン状態の持続期間は、入力電流がピーク電流しきい値に達するときに限定される、請求項２５に記載の方法。
【請求項２８】
入力電流、入力電圧、および出力電圧を有する電力変換器で用いるための集積回路コントローラであって：
電力スイッチのオン時間の終わりを示すオン時間信号に応答して、および電力スイッチのオフ時間の終わりを示すオフ時間信号に応答して、入力電流を入力電圧に実質的に比例するよう制御するよう、電力変換器の電力スイッチを切換えるよう結合されるドライバと；
電力スイッチのオン時間の終わりを判断するよう、およびそれに応答してオン時間信号を出力するよう、入力電流を積分するよう結合される第１の算出器と；
電力スイッチのオフ時間の終わりの判断するよう、およびそれに応答してオフ時間信号を出力するよう、電力変換器の入力電圧と出力電圧との間の差を積分するよう結合される第２の算出器とを含む、集積回路コントローラ。
【請求項２９】
ドライバは切換信号を生成するよう結合され、コントローラは、ドライバと第２の算出器との間に結合される入力電圧算出器をさらに含み、入力電圧算出器は、切換信号に応答して入力電圧を表わす入力電圧信号を出力し、第２の算出器は、オフ時間の終わりを判断するよう入力電圧信号と出力電圧との間の差を積分する、請求項２８に記載の集積回路コントローラ。
【請求項３０】
入力電圧算出器は、切換信号のデューティファクタに応答して入力電圧信号を出力するよう結合される、平均化キャパシタを含む、請求項２９に記載の集積回路コントローラ。
【請求項３１】
ドライバは電力変換器の出力での出力電圧を規制する、請求項２８に記載の集積回路コントローラ。
【請求項３２】
オン時間信号は、第１の算出器によって受けられる誤差信号に応答して生成される、請求項２８に記載の集積回路コントローラ。
【請求項３３】
第１の算出器へ誤差信号を出力するようフィードバック回路をさらに含み、誤差信号は、電力変換器の出力での出力電圧を表わす、請求項３２に記載の集積回路コントローラ。
【請求項３４】
フィードバック回路は一定の基準電圧に応答して誤差信号を生成し、一定の基準電圧は電力変換器の出力電圧を表わす、請求項３３に記載の集積回路コントローラ。
【請求項３５】
第１の算出器は：
入力電流に応答して充電されるよう結合されるキャパシタを含み、キャパシタにわたる電圧は入力電流の積分値を表わし；第１の算出器はさらに、
キャパシタにわたる電圧を誤差信号と比較することによってオン時間信号を生成するよう結合される比較器を含む、請求項３４に記載の集積回路コントローラ。
【請求項３６】
第１の算出器は、入力電流信号に応答して入力電流を表わす倍率変更された電流を生成するよう結合される電流源をさらに含み、電流源は倍率変更された電流でキャパシタを充電するようさらに結合される、請求項３５に記載の集積回路コントローラ。
【請求項３７】
第２の算出器は：
入力電圧と出力電圧との間の差を表わす充電電流に応答して充電されるよう結合されるキャパシタを含み、キャパシタにわたる電圧は、入力電圧と出力電圧との間の差の積分値を表わし；第２の算出器はさらに、
キャパシタにわたる電圧を基準電圧と比較することによってオフ時間信号を生成するよう結合される比較器を含む、請求項２８〜３６のいずれかに記載の集積回路コントローラ。
【請求項３８】
第２の算出器は、入力電圧と出力電圧との差を表わす充電電流を生成するよう結合される電流源をさらに含み、電流源は充電電流でキャパシタを充電するようさらに結合される、請求項３７に記載の集積回路コントローラ。
【請求項３９】
電力スイッチは集積回路コントローラに含まれる、請求項２８に記載の集積回路コントローラ。